(57)【要約】【課題】耐久性を維持しつつ、アクセサリー材を容易に取り付けることができる。【解決手段】外壁１は、壁下地材２と、該壁下地材２に固着されかつアクセサリー材２１を取り付けるための取付部１４が露出して設けられた取付ベース３と、壁下地材２に固着されかつ取付ベース３の周りに配されて外壁面１Ｓの主要部を構成する外装化粧材４とを含む。外装化粧材４は、接着剤３５を用いて壁下地材２に水密状態で接着されている。接着剤３５は、外装化粧材４と取付ベース３との間で、壁下地材２の外面２Ｓに沿ってのびている。さらに、接着剤３５は、少なくとも取付ベース３にまで及ぶことにより、取付ベース３の水密処理材を構成している。【選択図】図３
2014070424.tif 000002
【特許請求の範囲】
【請求項１】
アクセサリー材を取り付けることが可能な建物の外壁であって、
壁下地材と、該壁下地材に固着されかつアクセサリー材を取り付けるための取付部が露出して設けられた取付ベースと、前記壁下地材に固着されかつ前記取付ベースの周りに配されて外壁面の主要部を構成する外装化粧材とを含み、
前記外装化粧材は、接着剤を用いて前記壁下地材に水密状態で接着されており、
前記接着剤は、前記外装化粧材と前記取付ベースとの間で前記壁下地材の外面に沿ってのびており、少なくとも前記取付ベースにまで及ぶことにより前記取付ベースの水密処理材を構成していることを特徴とする外壁。
【請求項２】
前記接着剤は、前記取付ベースの裏面と前記壁下地材との間にのびている請求項１記載の外壁。
【請求項３】
前記接着剤は、前記取付ベースの外側面に沿って立ち上がっている請求項１記載の外壁。
【請求項４】
前記取付ベースの外側面と前記壁下地材とのコーナ部には、シール材が充填され、
前記接着剤は、前記シール材を覆って前記取付ベースにまでのびている請求項１記載の外壁。
【請求項５】
前記取付ベースは、板状の本体に、前記取付部が設けられている請求項１乃至４のいずれかに記載の外壁。
【請求項６】
前記取付部は、前記本体の内方に凹むネジ孔を含む請求項５に記載の外壁。
【請求項７】
前記ネジ孔は、前記本体を貫通しない有底状である請求項６に記載の外壁。
【請求項８】
前記取付部は、前記本体から外方に突出するネジ軸を含む請求項５に記載の外壁。
【発明の詳細な説明】
【技術分野】
【０００１】
本発明は、耐久性を維持しつつ、アクセサリー材を容易に取り付けることができる外壁に関する。
【背景技術】
【０００２】
一般に、住宅等の建物の外壁には、壁下地材と、この壁下地材に固着される外装化粧材とが設けられている。また、外装化粧材は、壁下地材に接着剤を介して固着されている（例えば、特許文献１参照）。
【先行技術文献】
【特許文献】
【０００３】
【特許文献１】特開２０１０−１３８７２号公報
【発明の概要】
【発明が解決しようとする課題】
【０００４】
このような外壁に手摺り等のアクセサリー材を取り付けるには、外装化粧材を壁下地材から取り外して、アクセサリー材を壁下地材に固着する必要がある。このため、従来では、アクセサリー材を取り付けたい位置の外装化粧材をバーナー等で炙り、その裏面の接着剤を軟化させて、外装化粧材を壁下地材から取り外していた。従って、従来の外壁では、建物の購入後に、アクセサリー材を外壁に容易に取り付けることができないという問題があった。
【０００５】
また、アクセサリー材が壁下地材に取り付けられると、外装化粧材とアクセサリー材との間で、壁下地材が露出する。これにより、壁下地材は、雨や紫外線等に直接曝されて劣化しやすくなり、外壁の耐久性が低下するという問題があった。
【０００６】
本発明は、以上のような実状に鑑み案出されたもので、外装化粧材を壁下地材に水密状態で接着する接着剤を、少なくともアクセサリー材を取り付ける取付ベースにまでのばすことを基本として、耐久性を維持しつつ、アクセサリー材を容易に取り付けることができる外壁を提供することを主たる目的としている。
【課題を解決するための手段】
【０００７】
本発明のうち請求項１記載の発明は、アクセサリー材を取り付けることが可能な建物の外壁であって、壁下地材と、該壁下地材に固着されかつアクセサリー材を取り付けるための取付部が露出して設けられた取付ベースと、前記壁下地材に固着されかつ前記取付ベースの周りに配されて外壁面の主要部を構成する外装化粧材とを含み、前記外装化粧材は、接着剤を用いて前記壁下地材に水密状態で接着されており、前記接着剤は、前記外装化粧材と前記取付ベースとの間で前記壁下地材の外面に沿ってのびており、少なくとも前記取付ベースにまで及ぶことにより前記取付ベースの水密処理材を構成していることを特徴とする。
【０００８】
また、請求項２記載の発明は、前記接着剤は、前記取付ベースの裏面と前記壁下地材との間にのびている請求項１記載の外壁である。
【０００９】
また、請求項３記載の発明は、前記接着剤は、前記取付ベースの外側面に沿って立ち上がっている請求項１記載の外壁である。
【００１０】
また、請求項４記載の発明は、前記取付ベースの外側面と前記壁下地材とのコーナ部には、シール材が充填され、前記接着剤は、前記シール材を覆って前記取付ベースにまでのびている請求項１記載の外壁である。
【００１１】
また、請求項５記載の発明は、前記取付ベースは、板状の本体に、前記取付部が設けられている請求項１乃至４のいずれかに記載の外壁である。
【００１２】
また、請求項６記載の発明は、前記取付部は、前記本体の内方に凹むネジ孔を含む請求項５に記載の外壁である。
【００１３】
また、請求項７記載の発明は、前記本体を貫通しない有底状である請求項６に記載の外壁である。
【００１４】
また、請求項８記載の発明は、前記取付部は、前記本体から外方に突出するネジ軸を含む請求項５に記載の外壁である。
【発明の効果】
【００１５】
本発明の外壁は、壁下地材と、該壁下地材に固着されかつアクセサリー材を取り付けるための取付部が露出して設けられた取付ベースと、壁下地材に固着されかつ取付ベースの周りに配されて外壁面の主要部を構成する外装化粧材とを含んでいる。このような外壁は、アクセサリー材を取り付ける取付ベースが、壁下地材に予め固着されているため、従来のように、接着剤をバーナー等で軟化させて、外装化粧材を壁下地材から取り外す必要がない。従って、本発明の外壁では、アクセサリー材を容易に取り付けることができる。
【００１６】
また、外装化粧材は、接着剤を用いて壁下地材に水密状態で接着されている。この接着剤は、外装化粧材と取付ベースとの間で壁下地材の外面に沿ってのびている。さらに、接着剤は、少なくとも取付ベースにまで及ぶことにより、取付ベースの水密処理材を構成している。これにより、外装化粧材と取付ベースとの間の壁下地材は、水密状態が維持されるため、雨や紫外線等による劣化を抑制でき、外壁の耐久性を維持することができる。しかも、壁下地材には、アクセサリー材を取り付ける際に、水密処理を別途施す必要がないため、施工性を向上することができる。
【図面の簡単な説明】
【００１７】
【図１】本実施形態の外壁の一例を示す正面図である。
【図２】図１の部分斜視図である。
【図３】図２のＡ−Ａ断面図である。
【図４】一対のワイヤー保持手段を示す斜視図である。
【図５】取付ベースの裏面と壁下地材の外面との間にのびる接着剤を示す断面図である。
【図６】（ａ）は、取付ベースの外側面に沿って立ち上がる接着剤を示す断面図、（ｂ）は、取付ベースのコーナ部に配置されたシール材及び接着剤を示す断面図である。
【図７】プランターを示す斜視図である。
【図８】タイルモジュールを示す斜視図である。
【図９】ネジ軸を含む取付部を示す斜視図である。
【発明を実施するための形態】
【００１８】
以下、本発明の実施の一形態が図面に基づき説明される。
図１に示されるように、本発明の外壁１は、例えば、一般的な住宅やビル等の建物Ｈに採用することができる。外壁１は、壁下地材２と、該壁下地材２に固着される取付ベース３と、取付ベース３の周りで壁下地材２に固着される外装化粧材４とを含んで構成されている。本実施形態では、外壁１の正面視において、複数の取付ベース３が、上下方向及び幅方向に離間して配置されている。
【００１９】
図２に示されるように、壁下地材２は、枠体６と、この枠体６の両面に配される一対の面材７、７とから構成されている。
【００２０】
枠体６は、例えば鋼材からなる縦枠材及び横枠材（図示省略）が、枠組みされて形成されている。また、枠体６には、所定のピッチで隔設される縦桟８が配置されている。さらに、枠体６と面材７、７の間には、縦桟８に沿って上下にのびる補強材９が設けられている。この補強材９は、例えば、木質材等からなる。
【００２１】
一対の面材７は、外壁１の外壁面１Ｓ側に配置される前面材７Ａと、前面材７Ａの反対側に位置する後面材７Ｂとから構成されている。各面材７Ａ、７Ｂには、例えば、コンクリートパネルや、石膏ボードなどが用いられる。また、前面材７Ａと後面材７Ｂとの間に形成される隙間１０には、例えば、グラスウールや、ロックウール等の断熱材（図示省略）が充填されている。
【００２２】
各取付ベース３は、図１に示される正面視において、縦桟８が配置される位置に固着されている。また、取付ベース３は、壁下地材２に固着される本体１３と、この本体１３に露出して設けられる取付部１４とを含んで構成されている。
【００２３】
本実施形態の本体１３は、正面視縦長矩形の板状に形成されている。図３に示されるように、本体１３は、壁下地材２の前面材７Ａに固着される裏面１３Ｂ、裏面１３Ｂと反対側に位置する前面１３Ｆ、及び、前面１３Ｆと裏面１３Ｂとを継ぐ外側面１３Ｓを有している。
【００２４】
また、本体１３は、上下方向の両端側に、厚さ方向に貫通する一対の貫通孔１５、１５が設けられている。これらの一対の貫通孔１５、１５には、ビス１６がそれぞれ挿通されている。このビス１６は、壁下地材２の前面材７Ａを貫通し、補強材９に達している。これにより、本体１３は、壁下地材２に強固に固着される。さらに、貫通孔１５には、ビス１６が挿通された後に、シーリング材（図示省略）が配置されるのが望ましい。このようなシーリング材は、貫通孔１５から雨等が浸入するのを抑制でき、壁下地材２の劣化を効果的に防ぐことができる。
【００２５】
取付部１４は、本体１３の前面１３Ｆから内方に凹むネジ孔１７から構成されている。本実施形態のネジ孔１７は、本体１３の上方に設けられる一対の上ネジ孔１７ｕ、１７ｕと、本体１３の下方に設けられる一対の下ネジ孔１７ｄ、１７ｄと、本体１３の中央に設けられる一対の中央ネジ孔１７ｃ、１７ｃとを含んでいる。このような各ネジ孔１７ｕ、１７ｄ、１７ｃには、図２に示されるように、アクセサリー材２１を介して、ネジ１８が螺合される。これにより、取付ベース３は、アクセサリー材２１を外壁１に取り付けることができる。
【００２６】
このように、取付ベース３は、壁下地材２に予め固着されている。従って、本実施形態では、アクセサリー材２１を外壁１に取り付ける際に、従来のように、外装化粧材４を接着する接着剤３５をバーナー等で軟化させて、外装化粧材４を壁下地材２から取り外す必要がない。これにより、本発明の外壁１では、建物Ｈの購入後においても、アクセサリー材２１を外壁１に容易に取り付けることができる。
【００２７】
図３に示されるように、取付ベース３の各ネジ孔１７ｕ、１７ｄ、１７ｃは、本体１３を貫通しない有底状に形成されるのが望ましい。これにより、取付ベース３は、各ネジ孔１７ｕ、１７ｄ、１７ｃから壁下地材２に、雨や紫外線が浸入するのを抑制でき、壁下地材２の劣化を防ぐことができる。なお、各ネジ孔１７ｕ、１７ｄ、１７ｃが貫通孔からなる場合は、シーリング材（図示省略）が配置されるのが望ましい。
【００２８】
図２に示されるように、本実施形態では、アクセサリー材２１が、ワイヤー２２の端部２２ｔを固定するワイヤー保持手段２１Ａからなる場合が例示される。本実施形態のワイヤー保持手段２１Ａは、取付ベース３に固着される基部２５と、基部２５の上下方向の一端側に固着されるブラケット２６と、基部２５の他端側に固着される化粧材２７とを含んで構成されている。また、ワイヤー２２は、その両端部２２ｔ、２２ｔ側にネジ軸２８が設けられている。
【００２９】
本実施形態の基部２５は、取付ベース３の本体１３と同様に、正面視において、縦長矩形の板状に形成されている。これにより、基部２５は、取付ベース３の本体１３の前面１３Ｆに重ねられる裏面２５Ｂ、裏面２５Ｂと反対側に位置する前面２５Ｆ、及び、前面２５Ｆと裏面２５Ｂとを継ぐ外側面２５Ｓを有している。さらに、本実施形態の基部２５には、該基部２５の上部側において、前面２５Ｆから前方に突出するネジ軸３０が設けられている。
【００３０】
また、基部２５は、その裏面２５Ｂが、取付ベース３の本体１３の前面１３Ｆ（図３に示す）に重ねられた状態において、一対の上ネジ孔１７ｕ、１７ｕ、及び、一対の中央ネジ孔１７ｃ、１７ｃに連通する孔部３１が設けられる。これらの孔部３１には、各ネジ孔１７ｕ、１７Ｃに螺合するネジ１８がそれぞれ挿通されている。これにより、基部２５は、取付ベース３に取り外し可能に固着される。
【００３１】
図４に示されるように、ブラケット２６は、基部２５の前面２５Ｆから前方へ突出する凸部２６Ａと、この凸部２６Ａの前端で折れ曲がるワイヤー保持部２６Ｂとを含んで構成されている。
【００３２】
凸部２６Ａは、基部２５の前面２５Ｆ側を向く後端に、基部２５のネジ軸３０を螺合するネジ孔３２が設けられている。これにより、凸部２６Ａは、ネジ孔３２にネジ軸３０が螺合されることにより、基部２５の前面２５Ｆに取り外し可能に固着される。このような凸部２６Ａが基部２５から取り外されることにより、ネジ１８（図２に示す）の取り付け、及び、取り外し作業を円滑に行うことができる。
【００３３】
ワイヤー保持部２６Ｂは、凸部２６Ａの前端で直角に折れ曲がり、かつ、基部２５の前面２５Ｆと平行にのびている。また、ワイヤー保持部２６Ｂの先端には、ワイヤー２２のネジ軸２８を螺合するネジ孔３３が設けられる。このようなワイヤー保持部２６Ｂは、ワイヤー２２のネジ軸２８がネジ孔３３に螺合されることにより、ワイヤー２２の端部２２ｔを固定することができる。
【００３４】
化粧材２７は、例えば、外装化粧材４の表面模様に近似するタイルからなる。この化粧材２７は、その裏面２５Ｂが、基部２５の前面２５Ｆに接着剤等で固着されている。
【００３５】
本実施形態では、ワイヤー保持手段２１Ａが、例えば、外壁１の上下方向に少なくとも一対配される。また、各ワイヤー保持部２６Ｂ、２６Ｂのネジ孔３３、３３は、上下方向で互いに向き合って配置される。さらに、各ネジ孔３３、３３には、ワイヤー２２の各ネジ軸２８、２８が螺合される。これにより、一対のワイヤー保持手段２１Ａ、２１Ａは、外壁面１Ｓの前方において、ワイヤー２２を上下に伸ばして固定することができる。これにより、ワイヤー２２には、例えば、ゴーヤ等のつる植物（図示省略）が巻き付けられることにより、外壁１を緑化することができる。また、化粧材２７は、取付ベース３及び壁下地材２の一部を、外装化粧材４に近似させて目隠しすることができるため、外壁１の美観を向上することができる。
【００３６】
図１及び図２に示されるように、外装化粧材４は、平面視において、例えば、横長矩形のタイルからなる。また、外装化粧材４は、取付ベース３の周りに、例えば、馬踏目地状に配置されている。従って、外装化粧材４は、外壁面１Ｓの主要部を構成している。
【００３７】
図３に示されるように、外装化粧材４は、壁下地材２に貼り付けられる裏面４Ｂ、裏面４Ｂと反対側に位置する前面４Ｆ、及び、前面４Ｆと裏面４Ｂとを継ぐ外側面４Ｓを有している。この外装化粧材４は、接着剤３５を用いて、壁下地材２の外面２Ｓに水密状態で接着されている。これにより、壁下地材２は、外装化粧材４及び接着剤３５に覆われて、水密が維持されるため、雨や紫外線等による壁下地材２の劣化を防ぐことができる。なお、接着剤３５としては、外装化粧材４を水密状態で接着できるものであれば、特に限定されないが、例えば、耐久性の高い弾性接着剤が望ましい。
【００３８】
本実施形態の接着剤３５は、外装化粧材４と取付ベース３との間で、壁下地材２の外面２Ｓに沿って配置されている。しかも、接着剤３５は、外装化粧材４から取付ベース３の本体１３まで及んでいる。これにより、接着剤３５は、取付ベース３の水密処理材を構成することができる。従って、外壁１は、取付ベース３が壁下地材２に露出して固着されても、壁下地材２の劣化を防ぐことができるため、耐久性を維持することができる。しかも、壁下地材２には、アクセサリー材２１を取り付け、又は、取り外しの際に、水密処理を別途施す必要がないため、施工性を向上することができる。
【００３９】
図５に示されるように、接着剤３５は、取付ベース３の本体１３の裏面１３Ｂと、壁下地材２の外面２Ｓとの間にのびるのが望ましい。これにより、本体１３の裏面１３Ｂが、壁下地材２の外面２Ｓに水密状態で接着されるため、壁下地材２の劣化を効果的に防ぐことができる。
【００４０】
また、図６（ａ）に示されるように、接着剤３５は、壁下地材２の外面２Ｓから取付ベース３の本体１３の外側面１３Ｓに沿って立ち上がるものでもよい。これにより、接着剤３５は、本体１３の外側面１３Ｓと壁下地材２とのコーナ部３６を、水密処理することができる。従って、接着剤３５は、雨や紫外線等が、コーナ部３６から壁下地材２に浸入するのを防ぐことができ、壁下地材２の劣化をより効果的に防ぐことができる。さらに、接着剤３５は、本体１３の前面１３Ｆまで配置されるのが望ましい。これにより、接着剤３５は、コーナ部３６をより効果的に水密処理することができる。
【００４１】
図６（ｂ）に示されるように、コーナ部３６には、シール材３７が充填されてもよい。これにより、シール材３７は、コーナ部３６を、効果的に水密処理することができる。さらに、接着剤３５は、シール材３７を覆って本体１３にまでのびるのが望ましい。これにより、コーナ部３６は、接着剤３５及びシール材３７が重なって配置されるため、高い水密性を維持することができる。
【００４２】
図２に示されるように、本実施形態では、アクセサリー材２１が、ワイヤー保持手段２１Ａとして構成される場合が例示されたが、これに限定されるわけではない。他のアクセサリー材２１としては、例えば、草花を栽培可能なプランター２１Ｂ（図７に示す）や、外装化粧材４が配置されたタイルモジュール２１Ｃ（図８に示す）として構成されてもよい。
【００４３】
図７に示されるように、プランター２１Ｂは、一対の基部２５、２５と、一対の基部２５、２５に支持されるレール４１と、レール４１に取り外し可能に支持される鉢部４２とを含んで構成されている。
【００４４】
一対の基部２５、２５は、外壁１の幅方向で離間して配置される一対の取付ベース３、３にそれぞれ配置される。また、実施形態の各基部２５は、一対の上ネジ孔１７ｕ、１７ｕ、及び、一対の下ネジ孔１７ｄ、１７ｄに連通する孔部３１が設けられている。
【００４５】
レール４１は、一対の基部２５、２５間を外壁面１Ｓと平行にのびる板状のベース板４１Ａと、該ベース板４１Ａの下端から、前方に小長さでのびるフランジ４１Ｂとを含んで構成されている。また、ベース板４１Ａには、基部２５の孔部３１と同様に、一対の上ネジ孔１７ｕ、１７ｕ及び一対の下ネジ孔１７ｄ、１７ｄに連通する孔部４５が設けられている。
【００４６】
これらの一対の基部２５、２５及びレール４１は、取付ベース３の本体１３に重ねて配置される。そして、一対の基部２５、２５及びレール４１は、各孔部３１、４５にネジ１８が挿通されることにより、取付ベース３に取り外し可能に固着される。
【００４７】
鉢部４２は、水平にのびる底部４２Ｂと、底部４２Ｂの外周から上方に立ち上がる立上がり部４２Ｐとを含んで構成される。また、底部４２Ｂには、排水用の孔部４２Ｈが設けられている。さらに、鉢部４２の立上がり部４２Ｐには、ベース板４１Ａに引っ掛け可能なフック４２Ｆが設けられている。また、鉢部４２の底部４２Ｂは、フック４２Ｆがベース板４１Ａに引っ掛けられた状態において、フランジ４１Ｂの上に載置される。これにより、鉢部４２は、ベース板４１Ａに取り外し可能に支持される。
【００４８】
このようなプランター２１Ｂは、鉢部４２の内部に鉢底石や土が充填されることにより、草花を植えることができる。従って、プランター２１Ｂは、外壁１を緑化するのに役立つ。さらに、プランター２１Ｂは、ワイヤー保持手段２１Ａと併用されることにより、外壁１を効果的に緑化することができる。
【００４９】
また、鉢部４２の立上がり部４２Ｐの外面には、外装化粧材４の表面模様に近似する化粧材４３が配置されるのが望ましい。このような化粧材４３は、立上がり部４２Ｐの外面を、外装化粧材４に近似させることができるため、外壁１の美観性を向上することができる。
【００５０】
図８に示されるように、本実施形態のタイルモジュール２１Ｃは、基部２５と、基部２５の上部側に固着される上化粧材４６と、基部２５の下部側に固着される下化粧材４７とから構成されている。また、上化粧材４６と下化粧材４７との間には、目地４８が形成されている。
【００５１】
基部２５は、目地４８において、一対の中央ネジ孔１７ｃに連通する孔部３１が設けられている。この孔部３１には、一対の中央ネジ孔１７ｃ、１７ｃに螺合するネジ１８がそれぞれ挿通される。これにより、基部２５は、取付ベース３に取り外し可能に固着される。
【００５２】
上化粧材４６及び下化粧材４７は、外装化粧材４の表面模様に近似するタイルから構成される。この上化粧材４６及び下化粧材４７は、正面視において、矩形状に形成されている。
【００５３】
また、タイルモジュール２１Ｃが取付ベース３に固着された状態において、上化粧材４６と外装化粧材４との間には、目地４９が形成される。さらに、下化粧材４７と外装化粧材４との間にも、目地４９が形成される。これにより、タイルモジュール２１Ｃは、ワイヤー保持手段２１Ａ（図２に示す）や、プランター２１Ｂ（図７に示す）等のアクセサリー材２１が取り付けられない取付ベース３を、外装化粧材４の配列に近似させて目隠しすることができる。従って、タイルモジュール２１Ｃは、外壁１の美観を向上するのに役立つ。
【００５４】
また、上記実施形態では、取付部１４が、本体１３の内方に凹むネジ孔１７である場合が示されたが、これに限定されるわけではない。例えば、図９に示されるように、取付部１４は、本体１３から外方に突出するネジ軸５０を含むものでもよい。このようなネジ軸５０は、例えば、図２に示されるワイヤー保持手段２１Ａのブラケット２６を、基部２５を介さずに取り付けることができるため、アクセサリー材２１の構造を簡素化することができる。
【００５５】
以上、本発明の特に好ましい実施形態について詳述したが、本発明は図示の実施形態に限定されることなく、種々の態様に変形して実施しうる。
【符号の説明】
【００５６】
１      外壁
２      壁下地材
３      取付ベース
４      外装化粧材
２１      アクセサリー材
３５      接着剤
【図１】
2014070424.tif 000003
【図２】
2014070424.tif 000004
【図３】
2014070424.tif 000005
【図４】
2014070424.tif 000006
【図５】
2014070424.tif 000007
【図６】
2014070424.tif 000008
【図７】
2014070424.tif 000009
【図８】
2014070424.tif 000010
【図９】
2014070424.tif 000011